(57)【要約】 【課題】  最適濃度の麦茶を得ることができるようにした圧搾機構を備えると共に、圧搾機構を採用したことによって生ずる新たな課題（収納不便性、衛生上の問題）を解決した麦茶用容器を提供する。【解決手段】  容器本体１と、容器本体の開口部に装着され、下方に通水透孔２３を設けた内容器体２と、蓋体３と、内容器体内に配置される圧搾板４１、及び圧搾板に連結して蓋体を貫通する操作棒４２からなる圧搾機構とを備え、特に圧搾板４１をフロート構造とし、内容器体の上方部分に逃水透孔部２４を設け、操作棒と蓋体との間に圧搾板を下方位置で停止維持する係止機構部を設けてなる。【選択図】  図４
2006129988.tif 000002
【特許請求の範囲】
【請求項１】
縦長又は横長の容器本体と、容器本体の上方に設けた開口部に装着され、下方部分に通水透孔を設けた内容器体と、内容器体を装着した容器本体を閉蓋し、且つ離脱防止手段を備えた蓋体と、内容器体内に配置される圧搾板、及び圧搾板に連結して蓋体を貫通する操作棒からなる圧搾機構とを備えてなることを特徴とする麦茶用容器。
【請求項２】
圧搾板の上方移動機能を備えた圧搾機構を採用すると共に、操作棒と蓋体との間に圧搾板を下方位置で停止維持する係止機構部を設けてなる請求項１記載の麦茶用容器。
【請求項３】
圧搾板をフロート構造とし、内容器体の上方部分に逃水透孔部を設けてなる請求項２記載の麦茶用容器。
【発明の詳細な説明】
【技術分野】
【０００１】
本発明は、麦茶用容器に関するものである。
【背景技術】
【０００２】
麦茶（喫飲可能な液体の状態を云う）の調整並びに保管は、焙煎麦（茶葉と対応するものを云う）を薬缶等で煎じた後放冷し、適宜な収納容器に注ぎ入れて、冷蔵庫で冷却保管したり、或いは焙煎麦のパック（所謂「麦茶パック」として市販されているもの）を水と共に収納容器に入れ、そのまま冷蔵庫で保管し、保管期間において、パック内の麦茶エッセンスを溶出させるものである。
【０００３】
前記の収納容器は、一般に「冷水筒」と称され、冷蔵庫での保管に便利なように細長容器で、培煎麦パックの出し入れが容易な蓋体を備え、適宜な注ぎ部を備えているものである（特許文献１，２）。
【０００４】
また前記の麦茶と同様に溶出液を抽出する器具として、急須やティーポットが知られており、これらの器具において、茶葉の圧搾機構を備えているものがある。
【０００５】
例えば実開昭６３−１３６９７３号公報（特許文献３）や特開平１−２２７７１４号公報（特許文献４）には、本体容器内の開口部から笊容器を吊り下げ、蓋体に圧搾板と、圧搾板の操作棒と圧搾板の上方付勢発条で構成した圧搾機構を備えているものが開示されている。
【０００６】
【特許文献１】意匠登録第１２１５３０１号公報。
【特許文献２】意匠登録第１０５７６５８号公報。
【特許文献３】実開昭６３−１３６９７３号公報。
【特許文献４】特開平１−２２７７１４号公報。
【発明の開示】
【発明が解決しようとする課題】
【０００７】
培煎麦パックを使用しての麦茶の調製並びに保管は、前記したとおり冷水筒内に水と培煎麦パックを入れ適宜時間放置しておき、培煎麦パックから香気成分が溶出して麦茶とするものであるが、焙煎麦パックの浸漬時間が短ければ薄い麦茶となり、浸漬時間が長ければ濃い麦茶となってしまう。然し通常、焙煎麦パックは入れっぱなしであり、最適時間浸漬後に焙煎麦パックを取り出すことは面倒であり通常は行われていない。
【０００８】
また急須などにおいては、茶葉からの溶出成分の溶出を助長する手段として圧搾機構を付設しているが、焙煎麦パックを圧搾するという発想自体が無かったので、麦茶の保管容器である冷水筒に圧搾機構を備えることがなかった。
【０００９】
そこで本発明は、浸漬時間に関わり無く、短時間で最適濃度の麦茶を得ることができるようにした圧搾機構を備えた冷水筒からなる麦茶用容器を提案したものである。
【００１０】
また従前の圧搾機構は、圧搾操作する操作棒が容器本体（蓋体）から上方に突出している。このため収納保管を考慮しているものにおいては、従前の圧搾機構をそのまま採用すると、その突出した操作棒が邪魔になり、冷蔵庫保管に不便である。
【００１１】
更に冷蔵庫に相応の期間保管される麦茶用容器において、金属部品であり、かつ汚れの除去が面倒である発条を備えることは、衛生上問題となる。
【００１２】
そこで本発明は、圧搾機構を備えると共に、前記問題点を解決した新規な麦茶用容器を提案したものである。
【課題を解決するための手段】
【００１３】
本発明（請求項１）に係る麦茶用容器は、縦長又は横長の容器本体と、容器本体の上方に設けた開口部に装着され、下方部分に通水透孔を設けた内容器体と、内容器体を装着した容器本体を閉蓋し、且つ離脱防止手段を備えた蓋体と、内容器体内に配置される圧搾板、及び圧搾板に連結して蓋体を貫通する操作棒からなる圧搾機構とを備えてなることを特徴とするものである。
【００１４】
従って容器本体内に水を満たし、内容器体に焙煎麦パックを入れ、蓋体を装着し、水がパックに浸透した状態で操作棒を上下に操作して、パック内の香気成分溶出液をパック外に押し出し、且つ再度パック内に水を浸透させた後、パック内の香気成分溶出液を押し出すことを繰り返し、最適濃度の麦茶を調整する。そして麦茶の調製を終えると焙煎麦パックを取り出し、再度蓋体を装着して冷蔵庫に収納保管するものである。
【００１５】
又本発明（請求項２）は、前記麦茶用容器において、圧搾板の上方移動機能を備えた圧搾機構を採用すると共に、操作棒と蓋体との間に圧搾板を下方位置で停止維持する係止機構部を設けてなるものである。
【００１６】
従って調製した麦茶を冷蔵庫に保管するに際して、圧搾板を下方位置に停止維持することで操作棒の蓋体からの突出を無くすか又は低く抑えることができ、容器の冷蔵庫保管に圧搾機構が邪魔にならない。
【００１７】
更に本発明（請求項３）の麦茶用容器は、圧搾機構の圧搾板をフロート構造とし、内容器体の上方部分に逃水透孔部を設けてなるものである。
【００１８】
而して容器本体を水で満たすと、圧搾板の上昇に伴なって圧搾板上方部分の水が逃水透孔部を通って内容器体から逃げるので、圧搾板がフロート機能で支障なく上昇する。従って操作棒によるパック下圧を実施した後、操作棒及び圧搾板は自然に上昇するので、圧搾機構に金属バネなどによる上方付勢機能を備えることなく、パック内の香気成分溶出液の押し出しが容易に実施できる。
【発明の効果】
【００１９】
本発明（請求項１）は、上記のとおり冷水筒に圧搾機構を付加したものであるから、焙煎麦パックを使用しての麦茶調製が短時間で行われ、且つ最適濃度の麦茶を容易に得ることができる。
【００２０】
また本発明（請求項２）は、特に圧搾機構に係止機構部を設けたものであるから、冷蔵庫への保管収納時において、圧搾機構が邪魔にならない。
【００２１】
また本発明（請求項３）は、圧搾機構の圧搾板をフロート構造としたものであるから、金属バネ等、汚れ取りに不便な上方付勢機構を使用することなく圧搾操作が容易に実施できるものである。
【発明を実施するための最良の形態】
【００２２】
次に本発明の実施の形態について説明する。図１乃至図５は、第一実施形態を示したもので、容器本体１と内容器体２と、蓋体３と圧搾機構４とで構成される。
【００２３】
容器本体１は、冷蔵庫への収納を考慮した樹脂製の縦長容器で、上部を全開口にすると共に、上縁１１の内周に内容器体２の載置段差部１２を設け、上縁外周適宜位置に蓋体３の止着受け部１３を設け、更に上縁の一部を注ぎ口１４としてなる。
【００２４】
内容器体２は、注ぎ口１４を除き、容器本体１の上方開口部の載置段差部１２上に載置できる上縁部２１を有し、内底面に多数の小突起２２を設けると共に、底面に通水透孔２３を多数穿設する。また上方周面には、逃水透孔部２４を設けてなる。
【００２５】
蓋体３は、容器本体１の開口部に装着した内容器体２の上方開口を全閉すると共に、側縁適宜位置に、止着受け部１３に掛け止めする止着板３１を煽り回動自在に設ける。また注ぎ口１４と対応する箇所に、注ぎ口１４の開閉蓋３２を設け、又中央部分に後述する操作棒４２の貫通孔３３と、貫通孔３３の周囲に、後述する操作摘み４３の収納凹部３４を設けてなる。
【００２６】
圧搾機構４は、圧搾板４１と、操作棒４２と、操作摘み４３とで構成されると共に、前記各部を固定状態とする係止機構部４４を備えてなる。
【００２７】
圧搾板４１は、内容器体２の内底面と約一致する大きさ（平面視）の中空体（フロート構造）で、中央上方に操作棒４２を突設し、貫通孔３３を貫通して蓋体３の上面上に突出した先端に操作摘み４３を連結固定してなる。
【００２８】
係止機構部４４は、貫通孔３３の一周面に、操作棒４２の上下移動領域より外れる箇所に設けた嵌合凸部４４１と、操作棒４２の周面所定位置（圧搾板４１を押し込んだ状態における前記嵌合凸部４４１と対面する位置）で嵌合凸部４４１と噛合う嵌合凹部４４２とで構成される。
【００２９】
而して蓋体３及び蓋体３に装着（貫通孔３３に操作棒４２の挿通されている状態）された圧搾機構４を容器本体１から外し、内容器体２に焙煎麦パックＡを入れ、且つ容器本体１に水Ｂを満たす。
【００３０】
そして圧搾板４１が焙煎麦パックＡの上方に位置するようにして蓋体３を装着固定し、焙煎麦パックＡが充分に水を吸った状態で、操作摘み４３を下圧する。この下圧によってパックＡ内の香気成分溶出液がパック外に押し出される。前記の下圧を解放すると、圧搾板４１はフロート構造のため浮き上がり、この浮き上がりに伴なって圧搾板上方部分の水が逃水透孔部２４を通って内容器体２の内方から外へ流れ出るので、圧搾板４１はスムーズに上昇する。
【００３１】
圧搾板４１が上昇すると、圧搾された焙煎麦パックＡの圧搾が解放され、パックＡに水Ａが浸透して再度香気成分の溶出がなされる。そして再度の圧搾操作を行う。この圧搾解放を繰り返すことで、短時間で最適濃度の麦茶Ｃを調整するものである。
【００３２】
特に前記の圧搾機構４は、発条のような金属部品を使用することが無いので、部品の経年変化による操作不良が生ずることがないし、また発条のような汚れ落しが煩雑で、冷蔵庫保管において非衛生的な状態が生じ難い。
【００３３】
最適濃度の麦茶Ｃを調製した後、蓋体３を外し、焙煎麦パックＡを取り出し、再度蓋体３を装着して、最適濃度の麦茶Ｃのまま冷蔵保管するものである。
【００３４】
前記の冷蔵庫保管に際しては、圧搾板４１がフロート構造であるため浮き上がるので、操作摘み４３を押し込んで収納凹部３４内に位置させると共に、操作摘み４３を横移動させて嵌合凸部４４１と嵌合凹部４４２を噛合わせ、圧搾板４１の浮き上がりを防止しておく。
【００３５】
従って操作棒４２や操作摘み４３が蓋体３の上方に突出するようなことが無いので、収納時の不便さは生じない。
【００３６】
図６，７は本発明の第二実施形態である。圧搾機構部４ａのみが相違するもので、同符号は第一実施形態と同一構造を示している。
【００３７】
圧搾機構機部４ａは、圧搾板４１ａが非中空体であり、蓋体３と操作摘み４３の間に圧搾板４１ａの下降動作に際して反発して上方付勢する圧縮発条４５を設けたものである。尚係止機構部４４も図示していないが備えているものである。
【００３８】
而して前記第一実施形態と同様に、焙煎麦パックの圧搾解放を繰り返すことで、短時間で最適濃度の麦茶の調製を行い、調整後パックを取り除き、最適濃度の状態のまま冷蔵庫保管を行うものである。
【００３９】
また本発明は前記実施形態に限定されるものではなく、例えば容器本体は縦長容器とせずに、横長容器とし、容器本体の上面適宜箇所に注ぎ口や開口部を設け、当該開口部に内容器体、蓋体、圧搾機構部を設けるようにしても良い。勿論容器本体などは樹脂製の方が取り扱いに便利であるが、金属製でも良い。
【００４０】
更に本発明における係止機構部は、蓋体（貫通孔）と操作棒とに設けた嵌合凹凸部の構造に限定されるものではなく、例えば貫通孔と操作棒の両者を貫通するピン孔を形成し、当該ピン孔にピンを挿通して係止する手段や、操作棒の所定位置に凹部を形成し、蓋体側に設けたスライド移動や回動で前記凹部内に出入する操作係止部を設け、前記操作係止部の捜査によって係止する手段等を採用しても良い。
【図面の簡単な説明】
【００４１】
【図１】本発明の第一実施形態の各部材の組み込み前の斜視図。
【図２】同使用状態を示す斜視図で（イ）は香気成分抽出時（ロ）は喫飲時の状態を示す。
【図３】同香気成分抽出時の状態を示す断面図。
【図４】同麦茶保管状態を示す断面図。
【図５】同係止機構部の説明斜視図で、（イ）は操作棒の上下動時の非係止状態（ロ）は操作棒を押し込んだ状態（ハ）は係止状態を示す。
【図６】本発明の第二実施形態の断面図（香気成分抽出時）。
【図７】同断面図（冷蔵庫保管状態時）。
【符号の説明】
【００４２】
１          容器本体
１１        上縁
１２        載置段差部
１３        止着受け部
１４        注ぎ口
２          内容器体
２１        上縁部
２２        小突起
２３        通水透孔
２４        逃水透孔部
３          蓋体
３１        止着板
３２        開閉蓋
３３        貫通孔
３４        収納凹部
４，４ａ    圧搾機構
４１，４１ａ  圧搾板
４２        操作棒
４３        操作摘み
４４        係止機構部
４４１      嵌合凸部
４４２      嵌合凹部
４５        圧縮発条
【図１】
2006129988.tif 000003
【図２】
2006129988.tif 000004
【図３】
2006129988.tif 000005
【図４】
2006129988.tif 000006
【図５】
2006129988.tif 000007
【図６】
2006129988.tif 000008
【図７】
2006129988.tif 000009